(57)【要約】【課題】油性ペン又はボールペンにて何度でも伝言等のメモを、書いたり消したりすることができるマグネット吸着板片を提供する。【解決手段】シリコンから成る弯曲自在で厚さ寸法ｔが３mm〜６mmの可撓性薄板片４と、薄板片４の外周５の端面６に凹設されたマグネット収納用凹窪部７に押込まれて保持されたマグネット８と、を備える。ペーパー保持に用いられ、表て面１と裏面11が平滑状平面である。表て面１、及び、裏面11に、油性ペン、ボールペンにて書き込み自在、かつ、消去自在である。【選択図】図３
2016090836.tif 000002
【特許請求の範囲】
【請求項１】
シリコンから成る弯曲自在で厚さ寸法が３mm〜６mmの可撓性薄板片（４）と、該薄板片（４）の外周（５）の端面（６）に凹設されたマグネット収納用凹窪部（７）に押込まれて保持されたマグネット（８）と、を備えることを特徴とするマグネット吸着板片。
【請求項２】
ペーパー保持に用いられ、表て面（１）と裏面（11）が平滑状平面である請求項１記載のマグネット吸着板片。
【請求項３】
表て面（１）、及び／又は、裏面（11）に、油性ペン、ボールペンにて書き込み自在、かつ、消去自在である請求項１又は請求項２記載のマグネット吸着板片。
【請求項４】
上記薄板片（４）と同一厚さ寸法（ｔ）の消しゴム用小片（12）を有し、かつ、該小片（12）の外形の形状に一致する形状の貫孔（13）を上記薄板片（４）に形成して、上記貫孔（13）に上記小片（12）を嵌着取出自在とした請求項２又は３記載のマグネット吸着板片。
【請求項５】
上記マグネット（８）は円形小盤形であって、かつ、上記マグネット収納用凹窪部（７）の形状を鍵孔形状として、マグネット（８）が、弾発的に上記凹窪部（７）の開口部（９）から押込まれて、上記凹窪部（７）の奥部の円形室部（10）に収納されている請求項１，２，３又は４記載のマグネット吸着板片。
【発明の詳細な説明】
【技術分野】
【０００１】
本発明は、マグネット吸着板片に関する。
【背景技術】
【０００２】
従来のマグネットを使用して冷蔵庫の扉等の磁性体に吸着させるペーパー保持体としては、合成樹脂又は金属材料から成る保持体本体にマグネットを内設したものがある（例えば、特許文献１参照）。
【０００３】
しかし、保持体本体に油性インキにて伝言等のメモを記載した場合、簡単には消去することができないという欠点があった。
【先行技術文献】
【特許文献】
【０００４】
【特許文献１】特開２００６−２０８９１３号公報
【発明の概要】
【発明が解決しようとする課題】
【０００５】
解決しようとする課題は、油性インキにてメモを記載した場合、簡単には消去することができない点である。
【課題を解決するための手段】
【０００６】
そこで、本発明に係るマグネット吸着板片は、シリコンから成る弯曲自在で厚さ寸法が３mm〜６mmの可撓性薄板片と、該薄板片の外周の端面に凹設されたマグネット収納用凹窪部に押込まれて保持されたマグネットと、を備えるものである。
また、ペーパー保持に用いられ、表て面と裏面が平滑状平面である。
また、表て面、及び／又は、裏面に、油性ペン、ボールペンにて書き込み自在、かつ、消去自在である。
【０００７】
また、上記薄板片と同一厚さ寸法の消しゴム用小片を有し、かつ、該小片の外形の形状に一致する形状の貫孔を上記薄板片に形成して、上記貫孔に上記小片を嵌着取出自在としたものである。
また、上記マグネットは円形小盤形であって、かつ、上記マグネット収納用凹窪部の形状を鍵孔形状として、マグネットが、弾発的に上記凹窪部の開口部から押込まれて、上記凹窪部の奥部の円形室部に収納されているものである。
【発明の効果】
【０００８】
本発明のマグネット吸着板片によれば、油性ペン又はボールペンにて伝言等のメモを記載した場合、簡単に消去することができる。すなわち、油性ペン又はボールペンにて何度でもメモを、書いたり消したりすることができて至便である。
【図面の簡単な説明】
【０００９】
【図１】本発明の第１の実施の形態の使用状態を示す斜視図である。
【図２】平面図である。
【図３】断面図である。
【図４】要部拡大断面図である。
【図５】図４のＸ−Ｘ断面図である。
【図６】第２の実施の形態を示す平面図である。
【図７】第３の実施の形態を示す図であって、（Ａ）は平面図、（Ｂ）は小片の正面図である。
【図８】第４の実施の形態を示す平面図である。
【図９】説明用斜視図である。
【発明を実施するための形態】
【００１０】
以下、図示の実施の形態に基づいて本発明を詳説する。
図１は、本発明の第１の実施の形態の使用状態を示す。このマグネット吸着板片は、ペーパー保持に用いられ、例えば、冷蔵庫Ｒの扉Ｄに吸着させて、印刷物、メモ用紙等の紙（ペーパー）Ｐを保持する。表て面１に油性ペンにて「重要！」等のメモ２が記載されているが、このメモ２は、消しゴム３（図７参照）又はウェットティッシュ（図示省略）で簡単に消去することができる。ホワイトボードなどの磁性体に吸着させることもできる。
【００１１】
図２〜図５に於て、第１の実施の形態をさらに説明する。マグネット吸着板片は、シリコンから成る弯曲自在（図９参照）で厚さ寸法ｔが３mm〜６mmの矩形状可撓性薄板片４と、薄板片４の外周５の短辺５ａ側の端面６に凹設されたマグネット収納用凹窪部７に押込まれて保持されたマグネット８と、を備える。厚さ寸法ｔが３mm未満の場合、強度不足となる。厚さ寸法ｔが６mmを超える場合、十分な可撓性を得ることができない。
なお、本発明に於て、「シリコン」とは、シロキサン結合による主骨格を持つ人工高分子化合物であって、ゴムの性質を有するものを言う。
【００１２】
マグネット８は円形小盤形であって、かつ、マグネット収納用凹窪部７の形状を鍵孔形状として、マグネット８が、弾発的に凹窪部７の開口部９から押込まれて、凹窪部７の奥部の円形室部10に収納されている。
【００１３】
表て面１と裏面11が平滑状平面である。すなわち、凹凸部、段差部が存在しない。表て面１及び裏面11に、油性ペン、ボールペン（図示省略）にて書き込み自在、かつ、消去自在である。
【００１４】
薄板片４の硬さ（デュロメータ硬さ）を30〜70に設定する。好ましくは、硬さを50〜60に設定する。硬さが30未満の場合、取扱いにくい。硬さが70を超える場合、折曲げ力がはたらくと折損する虞れがある。
【００１５】
図６は、第２の実施の形態を示す。マグネット収納用凹窪部７が、薄板片４の外周５の長辺５ｂ側の端面６に凹設される。その他の構成は、第１の実施の形態と同様である。
【００１６】
図７は、第３の実施の形態を示す。薄板片４が骨型に形成されている。薄板片４と同一厚さ寸法ｔの消しゴム用小片12（消しゴム３）を有する。小片12の外形の形状に一致する形状の貫孔13を薄板片４に形成して、貫孔13に小片12が嵌着取出自在に構成される。小片12の硬さを、薄板片４の硬さよりやや硬く設定するのが好ましい。その他の構成は、第１の実施の形態と同様である。
【００１７】
図８は、第４の実施の形態を示す。薄板片４が十字型に形成されている。４つのマグネット８を有する。その他の構成は、第１の実施の形態と同様である。
【００１８】
なお、表て面１及び裏面11に粗面加工を施すのが好ましい。メモ２を容易に消去することができる。
本発明は、設計変更可能であって、例えば、表て面１又は裏面11の一方に模様や宣伝を印刷し、他方のみを、油性ペン、ボールペンにて書き込み自在、かつ、消去自在とするも良い。また、薄板片４を着色するも良い。すなわち、薄板片４は、透明、半透明、白色、黒色、有彩色等のいずれであっても良い。また、薄板片４の形状は、上記各実施の形態以外の形状、例えば、長円形、楕円形等であっても良い。
【００１９】
以上のように、本発明は、シリコンから成る弯曲自在で厚さ寸法が３mm〜６mmの可撓性薄板片４と、該薄板片４の外周５の端面６に凹設されたマグネット収納用凹窪部７に押込まれて保持されたマグネット８と、を備えるので、油性ペン又はボールペンにてメモ２を記載した場合、簡単に消去することができる。すなわち、油性ペン又はボールペンにて何度でもメモ２を、書いたり消したりすることができて至便である。また、弯曲させても折損せず、適度な強度を有する。
また、ペーパー保持に用いられ、表て面１と裏面11が平滑状平面であるので、ペーパーＰを容易確実に保持することができるとともに、油性ペン、ボールペンにて容易に書き込んだり、消去したりすることができる。
また、表て面１、及び／又は、裏面11に、油性ペン、ボールペンにて書き込み自在、かつ、消去自在であるので、長期にわたって、繰り返し使用することができる。
【００２０】
また、上記薄板片４と同一厚さ寸法ｔの消しゴム用小片12を有し、かつ、該小片12の外形の形状に一致する形状の貫孔13を上記薄板片４に形成して、上記貫孔13に上記小片12を嵌着取出自在としたので、小片12によって、メモ２を容易に消去することができる。特に、小片12を不使用時には、小片12が貫孔13に保持されるので、使用する際に消しゴム３を探す手間を省くことができる。
また、上記マグネット８は円形小盤形であって、かつ、上記マグネット収納用凹窪部７の形状を鍵孔形状として、マグネット８が、弾発的に上記凹窪部７の開口部９から押込まれて、上記凹窪部７の奥部の円形室部10に収納されているので、マグネット８を確実に保持することができる。すなわち、不意にマグネット８が薄板片４から離脱することを防止することができる。
【符号の説明】
【００２１】
１  表て面
４  （可撓性）薄板片
５  外周
６  端面
７  （マグネット収納用）凹窪部
８  マグネット
９  開口部
10  円形室部
11  裏面
12  （消しゴム用）小片
13  貫孔
ｔ  厚さ寸法
【図１】
2016090836.tif 000003
【図２】
2016090836.tif 000004
【図３】
2016090836.tif 000005
【図４】
2016090836.tif 000006
【図５】
2016090836.tif 000007
【図６】
2016090836.tif 000008
【図７】
2016090836.tif 000009
【図８】
2016090836.tif 000010
【図９】
2016090836.tif 000011